(57)【要約】【課題】  部品点数の増加を防ぎつつ、簡便な構成によって物理的な音量増幅を図ることを可能とした音響装置を提供する。【解決手段】  キャビネット２と、ボリュームスイッチ９のボリューム軸９ａに取り付けられて、キャビネット２の孔部７から外方に臨んで配置されると共に、回転操作により音量レベルを調整するボリュームノブ５と、ボリュームノブ５を回転操作したときに、当該ボリュームノブ５をボリューム軸９ａの軸方向にスライドさせるスライド機構１７とを備え、ボリュームノブ５の内側には、キャビネット２内の音響空間Ｓ１と連通される空間Ｓ２が設けられて、音量レベルが大きくなる方向にボリュームノブ５を回転操作したときに、当該ボリュームノブ５が孔部７から突出する方向にスライドすることで、キャビネット２とボリュームノブ５との間で音響空間Ｓ１，Ｓ２が拡大される。【選択図】  図５
2009188607.tif 000002
【特許請求の範囲】
【請求項１】
少なくとも外板に孔部が設けられて、内部に音源及びボリュームスイッチが配置されたキャビネットと、
前記ボリュームスイッチのボリューム軸に取り付けられて、前記キャビネットの孔部から外方に臨んで配置されると共に、前記ボリューム軸を回転操作することにより前記音源の音量レベルを調整するボリュームノブと、
前記ボリュームノブを回転操作したときに、当該ボリュームノブを前記ボリューム軸の軸方向にスライドさせるスライド機構とを備え、
前記ボリュームノブの内側には、前記キャビネット内の音響空間と連通される空間が設けられて、
前記音源の音量レベルが大きくなる方向に前記ボリュームノブを回転操作したときに、当該ボリュームノブが前記孔部から突出する方向にスライドすることで、前記キャビネットと前記ボリュームノブとの間で音響空間が拡大されることを特徴とする音響装置。
【請求項２】
前記キャビネットの外板には、少なくとも１つ以上の音孔が設けられていることを特徴とする請求項１に記載の音響装置。
【請求項３】
前記ボリュームノブは、一端が閉塞された外筒部と、前記外筒部の内側中央部に内筒部とを有し、且つ、前記内筒部に前記ボリューム軸を嵌合した状態で、前記外筒部が前記ボリュームスイッチの周囲を囲む空間を形成していることを特徴とする請求項１又は２に記載の音響装置。
【請求項４】
前記外筒部と前記孔部との間には、隙間が設けられていることを特徴とする請求項３に記載の音響装置。
【請求項５】
前記外筒部には、少なくとも１つ以上の音孔が設けられていることを特徴とする請求項３又は４に記載の音響装置。
【請求項６】
前記スライド機構は、前記外筒部の内周面又は外周面に形成されたガイド突部と、前記外筒部の内側又は外側を囲む位置に配置されて、前記ガイド突部が係合される螺旋状のガイド部が設けられたガイド部材とを有し、
前記ボリュームノブを回転操作したときに、前記ガイド突部が前記ガイド部に案内されて、前記ボリュームノブが前記ボリューム軸の軸方向にスライドされることを特徴とする請求項３〜５の何れか一項に記載の音響装置。
【発明の詳細な説明】
【技術分野】
【０００１】
本発明は、音響装置の物理的な音量増幅を図る技術に関する。
【背景技術】
【０００２】
キャビネット内にスピーカなどの音源を配置し、外部又は内部からの音声信号に基づいて音楽や電子音などの音声を発する音響装置では、ボリュームノブの回転操作に応じて音源の音量レベルを調整することが可能である。
【０００３】
また、このような音響装置では、アンプなどによる電気的な増幅を行わずに、例えばスピーカを内蔵する筐体の一部に筒状の共鳴管を取り付けた構造とすることで、物理的に音量を増幅することも行われている（例えば、特許文献１を参照。）。一方、ボリュームによる音量調節に連動してスピーカを傾斜させながら、このスピーカの裏面側にある共鳴空間を広げることにより音量増幅を図り、指向性を高めたものもある（例えば、特許文献２を参照。）。
【０００４】
しかしながら、上述した物理的な音量増幅によって大音量を確保するためには、特許文献１に記載される構造では十分な共鳴効果を得るのに比較的大きな共鳴管を取り付けなければならず、小型化が難しく、携帯性も悪化させることになる。
【０００５】
一方、特許文献２に記載される構造では、ボリュームの音量調節に連動してスピーカを傾斜させる機構を設ける必要があるため、構造が複雑になるだけでなく、部品点数の増加を招くことになる。
【０００６】
【特許文献１】特開平９−５４７１５号公報
【特許文献２】特開２００３−２５２５１３号公報
【発明の開示】
【発明が解決しようとする課題】
【０００７】
本発明は、このような従来の事情に鑑みて提案されたものであり、部品点数の増加を防ぎつつ、簡便な構成によって物理的な音量増幅を図ることを可能とした音響装置を提供することを目的とする。
【課題を解決するための手段】
【０００８】
この目的を達成するために、本発明に係る音響装置は、少なくとも外板に孔部が設けられて、内部に音源及びボリュームスイッチが配置されたキャビネットと、ボリュームスイッチのボリューム軸に取り付けられて、キャビネットの孔部から外方に臨んで配置されると共に、ボリューム軸を回転操作することにより音源の音量レベルを調整するボリュームノブと、ボリュームノブを回転操作したときに、当該ボリュームノブをボリューム軸の軸方向にスライドさせるスライド機構とを備え、ボリュームノブの内側には、キャビネット内の音響空間と連通される空間が設けられて、音源の音量レベルが大きくなる方向にボリュームノブを回転操作したときに、当該ボリュームノブが孔部から突出する方向にスライドすることで、キャビネットとボリュームノブとの間で音響空間が拡大されることを特徴とする。
この音響装置では、音源の音量レベルが大きくなる方向にボリュームノブを回転操作したときに、当該ボリュームノブが孔部から突出する方向にスライドすることで、キャビネットとボリュームノブとの間で音響空間が拡大されることから、ボリュームノブの回転操作による電気的な音量増幅に加えて、物理的な音量増幅を図ることができる。
【０００９】
また、本発明に係る音響装置では、キャビネットの外板に、少なくとも１つ以上の音孔を設けた構成とすることで、周波数特性や音圧レベル、指向特性などを調整しながら音質の向上を図ることができる。
【００１０】
また、本発明に係る音響装置では、一端が閉塞された外筒部と、外筒部の内側中央部に内筒部とを有し、且つ、内筒部にボリューム軸を嵌合した状態で、外筒部がボリュームスイッチの周囲を囲む空間を形成するボリュームノブによって、キャビネット内の音響空間と連通される空間を当該ボリュームノブの内側に十分に確保することができる。したがって、キャビネットとボリュームノブとの間の音響空間をボリュームノブの回転操作に応じて大きく変化させることができる。
【００１１】
また、本発明に係る音響装置では、外筒部と孔部との間に隙間を設けた構成とすることで、この隙間から抜けた音をボリュームノブに反射させながら、その反射音により更なる音量増幅を図ることができる。
【００１２】
また、本発明に係る音響装置では、外筒部に少なくとも１つ以上の音孔を設けた構成とすることで、周波数特性や音圧レベル、指向特性などを調整しながら音質の向上を図ることができる。
【００１３】
また、本発明に係る音響装置では、外筒部の内周面又は外周面に形成されたガイド突部と、外筒部の内側又は外側を囲む位置に配置されて、ガイド突部が係合される螺旋状のガイド部が設けられたガイド部材とを有するスライド機構によって、ボリュームノブを回転操作したときに、ガイド突部がガイド部に案内されて、ボリュームノブがボリューム軸の軸方向にスライドされることから、ボリュームノブを回転操作したときに、当該ボリュームノブをボリューム軸の軸方向に適切にスライドさせることができる。
【発明の効果】
【００１４】
以上のように、本発明によれば、部品点数の増加を防ぎつつ、簡便な構成によって物理的な音量増幅を図ることを可能とした音響装置を提供することができる。
【発明を実施するための最良の形態】
【００１５】
以下、本発明を適用した音響装置について、図面を参照して詳細に説明する。
図１、図２及び図３に示すように、本発明を適用した音響装置１は、内部に音響空間Ｓ１を有するキャビネット２を備えている。このキャビネット２は、外板２ａによって六面体の中空箱を構成しており、その正面を構成する外板２ａには、矩形状の音孔３が設けられている。
【００１６】
また、キャビネット２の上面には、電源のオン／オフ（ＯＮ／ＯＦＦ）を切り替える電源スイッチ４と、音源の音量レベルを調整するボリュームノブ５とが設けられている。これに対応して、キャビネット２の上面を構成する外板２ａには、電源スイッチ４の切替レバーを外方に臨ませる矩形状の孔部６と、ボリュームノブ５を外方に臨ませる円形状の孔部７とが設けられている。
【００１７】
なお、キャビネット２の背面を構成する外板２ａには、図示を省略するものの、外部電源に接続されるコンセント、外部からの音声信号を入力するための外部入力ジャックなどが設けられている。
【００１８】
電源スイッチ４は、図４、図５及び図６に示すように、キャビネット２内の基板８上に配置されて、この基板８に形成された配線（図示せず。）と電気的に接続されている。また、基板８は、キャビネット２内の所定の位置に固定されている。
【００１９】
なお、この音響装置１は、図示を省略するものの、キャビネット２の内部にコンセントと接続された電源回路を備えており、外部電源（商用電源）からコンセントを介して供給される電力を電源回路が交流から直流に変換し、所定の電圧値に変換した後に各部に供給するようになっている。電源スイッチ４は、この外部電源から電源回路への電力供給の切り替えを行う。
【００２０】
ボリュームノブ５は、図１乃至図６に示すように、基板８上に配置されたボリュームスイッチ９のボリューム軸９ａを回転操作し、基板８上に配置された音源であるスピーカ１０の音量レベル（ボリューム）を調整するものであり、ボリュームスイッチ９のボリューム軸９ａに取り付けられて、キャビネット２の孔部７から外方に臨んで配置されている。また、このボリュームノブ５の内側には、キャビネット２内の音響空間Ｓ１と連通される空間Ｓ２が設けられている。
【００２１】
具体的に、このボリュームノブ５は、図７及び図８に示すように、一端が閉塞された外筒部５ａと、外筒部５ａの内側中央部に内筒部５ｂとを有している。また、ボリュームノブ５は、外筒部５ａのうち、中心孔１１ａが設けられた円板部１１ｂと、この円板部１１ｂにより一端が閉塞された円筒部１１ｃとを有する一の部材１１の中心孔１１ａに、内筒部５ｂの一端を閉塞してなる他の部材１２を嵌め込むことによって構成されている。
【００２２】
外筒部５ａは、上記孔部７よりも小さい径を有しており、この外筒部５ａと孔部７との間には、隙間１３が設けられている。また、外筒部５ａの側面には音孔１４が設けられている。この音孔１４は、外筒部５ａ（円筒部１１ｃ）の側面を他端側から軸線方向に所定の幅で切り欠くことにより形成されている。さらに、外筒部５ａの一端には、フランジ部１５が全周に亘って突出して設けられている。そして、ボリュームノブ５は、このフランジ部１５によって上記隙間１３を閉塞することが可能となっている。また、円板部１１ｂの外面には、ボリュームノブ５の回転操作をし易くするための操作用の凹み１６が設けられている。
【００２３】
内筒部５ｂは、ボリュームスイッチ９のボリューム軸９ａが嵌合される部分として、ボリューム軸９ａに対応した内形形状を有している。そして、このボリュームノブ５は、図３及び図４に示すように、内筒部５ｂにボリューム軸９ａを嵌合した状態で、外筒部５ａがボリュームスイッチ９の周囲を囲む空間Ｓ２を形成している。
【００２４】
ボリュームスイッチ９は、図３、図４及び図５に示すように、ボリューム軸９ａを上方に向けた状態で基板８上の所定の位置に実装されている。また、ボリュームスイッチ９の接続端子（図示せず。）は、基板８に形成された配線（図示せず。）と電気的に接続されている。
【００２５】
また、この音響装置１は、図４、図５、図６及び図８に示すように、ボリュームノブ５を回転操作したときに、このボリュームノブ５をボリューム軸９ａの軸方向にスライドさせるスライド機構１７を備えている。
【００２６】
このスライド機構１７は、ボリュームノブ５側にガイド突部１８を有している。このガイド突部１８は、外筒部５ａの内周面に位置して、この外筒部５ａの一端側から他端側の中途部に亘って直線状に突出形成されている。一方、基板８上には、ガイド部材１９が設けられている。このガイド部材１９は、ボリュームスイッチ５の周囲を囲む外筒部５ａの内側に位置して、その高さを周方向に連続的に異ならせた形状を有している。そして、このガイド部材１９の上端面がガイド突部１８と係合される螺旋状のガイド部１９ａを形成している。
【００２７】
そして、このスライド機構１７では、ボリュームノブ５を回転操作したときに、ガイド突部１８がガイド部１９ａに案内されて、ボリュームノブ５をボリューム軸９ａの軸方向にスライドされることになる。
【００２８】
なお、ボリューム軸９ａは、図示を省略するものの、その先端から軸線方向に一部を切り欠いた形状を有している（いわゆるＤピンタイプ）。これにより、ボリュームノブ５を回転操作したときに、内筒部５ｂ内でボリューム軸９ａが空回りすることなく、ボリューム軸９ａをボリュームノブ５と一体に回転操作することが可能である。一方、ボリュームノブ５は、ボリューム軸９ａの軸方向にはスライド可能である。
なお、ボリューム軸９ａは、このようなＤピンタイプに限らず、その他にもローレットタイプや割入れタイプなどであってもよく、内筒部５ｂの内形形状もこれらに対応した形状であればよい。
【００２９】
また、ボリュームノブ５は、外筒部５ａの外周面にストッパー突部２０を有しており、このストッパー突部２０が外板２ａの内面に当接されることによって、孔部７からの抜け止めがなされている。
【００３０】
この音響装置１は、図示を省略するものの、キャビネット２の内部に制御回路やアンプ等を備えている。そして、この音響装置１では、外部入力ジャックを介して外部から音声信号が入力されると、制御回路の制御によってスピーカ１０から音楽や電子音などの音声を発することになる。また、この音響装置１では、アンプにより電気的に増幅された信号に基づいてスピーカ１０の音量を増幅させることができる。さらに、この音響装置１では、ボリュームノブ５を転操作したときのボリューム軸９ａの位置によってボリュームスイッチ９から出力される信号が変化し、このボリュームスイッチ９から出力される信号に基づいて制御回路がアンプの増幅レベルを制御することになる。
なお、上記基板８、ボリュームスイッチ９、スピーカ１０、アンプ、制御回路等については、従来より音響装置において一般に用いられているものを使用できる。
【００３１】
以上のような構造を有する音響装置１では、図１及び図２に示すように、スピーカ１０の音量レベルが０となるとき、ボリュームノブ５は、ほぼキャビネット２の内側に収納された状態となっており、また、ボリュームノブ５のフランジ部１５が外板２ａに当接されることによって、隙間１３が閉塞された状態となっている。
【００３２】
そして、この状態から、図４及び図５に示すように、ボリュームノブ５を回転操作しながらスピーカ１０の音量レベルが大きくしていったとき、ボリュームノブ５は、この音量調節に連動して孔部７から突出する方向にスライドしながら、外板２ａよりも上方にせり上がった状態となる。
【００３３】
このとき、ボリュームノブ５の内側の空間Ｓ２は、スピーカ１０の音量レベルが高くなるのに比例して、キャビネット２の外側に拡大されることになる。そして、この音響装置１では、その拡大された分だけ共鳴空間が広がるため、ボリュームノブ５の回転操作による電気的な音量増幅に加えて、物理的な音量増幅を図ることができる。
【００３４】
さらに、この音響装置１では、ボリュームノブ５が孔部７から突出する方向にスライドし、隙間１３が開放されることによって、この隙間１３から抜けた音をボリュームノブ５に反射させながら、その反射音により更なる音量増幅を図ることができる。
【００３５】
そして、スピーカ１０の音量レベルが最大となるとき、ストッパー突部２０が外板２ａの内面に当接されることによって、ボリュームノブ５のそれ以上の回転及びスライドが係止される。このとき、キャビネット２とボリュームノブ５との間の音響空間Ｓ１，Ｓ２も最大となる。
【００３６】
以上のように、本発明を適用した音響装置１では、スピーカ１０の音量レベルが大きくなる方向にボリュームノブ５を回転操作したときに、このボリュームノブ５の回転操作による電気的な音量増幅に加えて、物理的な音量増幅を図ることが可能である。また、部品点数の増加を防ぎつつ、簡便な構成によって物理的な音量増幅を図ることを可能である。
【００３７】
なお、本発明は、上記音響装置１の構成に必ずしも限定されるものではなく、本発明の趣旨を逸脱しない範囲において種々の変更を加えることが可能である。なお、以下の説明では、上記音響装置１の構成と同等の部位については、説明を省略すると共に、図面において同じ符号を付すものとする。
【００３８】
例えば、上記音響装置１では、キャビネット２やボリュームノブ５に上記音孔３，１４を設けることで、周波数特性や音圧レベル、指向特性などを調整しながら音質の向上を図ることが可能であるが、このような構成に必ずしも限定されるモノではない。すなわち、キャビネット２及びボリュームノブ５に設けられる音孔３，１４の配置、数、大きさ、形状等については、周波数特性や音圧レベル、指向特性などの調整に合わせて、適宜変更して実施することが可能である。また、場合によっては、キャビネット２及びボリュームノブ５に音孔３，１４を設けない構成とすることも可能である。さらに、上記外筒部５ａと孔部７の径をほぼ一致させることで、これら外筒部５ａと孔部７との間に上記隙間１３を設けない構成とすることも可能である。
【００３９】
また、上記スライド機構１７は、ボリュームノブ５を回転操作したときに、当該ボリュームノブ５をボリューム軸９ａの軸方向にスライドさせる構成であればよく、上記構成に必ずしも限定されるものではない。例えば、外筒部５ａの外側を囲む位置に配置されたガイド部材１９のガイド部１９ａに、外筒部５ａの外周面に設けられたガイド突部１８が係合されて、ボリュームノブ５を回転操作したときに、ガイド突部１８がガイド部１９ａに案内されて、ボリュームノブ５がボリューム軸９ａの軸方向にスライドされる構成とすることも可能である。
【００４０】
また、上記音響装置１では、音源としてスピーカ１０を配置した構成となっているが、このスピーカ１０の種類や配置等についても、周波数特性や音圧レベル、指向特性などの調整に合わせて、適宜変更して実施することが可能である。また、キャビネット２内の音響空間Ｓ１についても、ホーンを設けたり、仕切りを設けたりすることによって、自由にアレンジすることが可能である。また、上記スピーカ１０以外にも、例えば電子メトロノームやブザーなどの音源を配置することも可能である。この場合、上述した外部電源による電力供給に限らず、小型の場合には、バッテリ等を搭載した内部電源によって各部に電力が供給される構成としてもよい。
【図面の簡単な説明】
【００４１】
【図１】図１は、音響装置のボリュームノブが収納された状態を示す斜視図である。
【図２】図２は、音響装置のボリュームノブが突出された状態を示す斜視図である。
【図３】図３は、音響装置を上面側から見た平面図である。
【図４】図４は、音響装置のボリュームノブが収納された状態を示すＸ−Ｘ’断面図である。
【図５】図５は、音響装置のボリュームノブが突出された状態を示すＸ−Ｘ’断面図である。
【図６】図６は、基板上に配置されたスピーカ、ボリュームスイッチ及び電源スイッチを示す斜視図である。
【図７】図７は、ボリュームノブの外観を示す斜視図である。
【図８】図８は、ボリュームノブの縦断面図である。
【符号の説明】
【００４２】
１…音響装置  ２…キャビネット  ２ａ…外板  ３…孔部  ５…ボリュームノブ  ５ａ…外筒部  ５ｂ…内筒部  ７…孔部  ９…ボリュームスイッチ  ９ａ…ボリューム軸  １０…スピーカ（音源）  １３…隙間  １４…音孔  １５…フランジ部  １７…スライド機構  １８…ガイド突部  １９…ガイド部材  １９ａ…ガイド部
【図１】
2009188607.tif 000003
【図２】
2009188607.tif 000004
【図３】
2009188607.tif 000005
【図４】
2009188607.tif 000006
【図５】
2009188607.tif 000007
【図６】
2009188607.tif 000008
【図７】
2009188607.tif 000009
【図８】
2009188607.tif 000010